(57)【要約】【課題】記録媒体に記録された映像コンテンツの再生開始時に、音量が大きすぎたり小さすぎたりする不具合を解消し得るプロジェクターを提供する。【解決手段】制御手段２０は、ＤＶＤメディアＭの再生操作を受け付けた場合に、ＤＶＤメディアＭから所定時間分の音声情報を読み出し、読み出した音声情報に対するスピーカー４１からの最大出力音量が所定の制限音量Ｌ１を越える場合に、最大出力音量が制限音量Ｌ１以下になるように音声信号処理手段４０によっての出力音量を調整する音量制限処理を実行する。【選択図】図３
2013061444.tif 000002
【特許請求の範囲】
【請求項１】
記録媒体に記録された画像情報、および音声情報を読み出して再生する再生手段と、
光源から射出された光を前記再生手段が読み出した画像情報に応じて画像光に変調して投写する画像投写手段と、
前記再生手段が読み出した前記音声情報を出力する音声出力手段と、
前記音声出力手段が出力する音量を調整する音量調整手段と、
各操作の入力を受け付ける入力操作手段と、
前記記録媒体から読み出した所定時間分の前記音声情報を記憶する記憶手段と、
を備えたプロジェクターであって、
前記入力操作手段が、前記記録媒体の再生操作を受け付けた場合に、前記記録媒体から所定時間分の前記音声情報を読み出し、読み出した音声情報に対する前記音声出力手段からの最大出力音量が所定の制限音量を越える場合に、前記最大出力音量が前記制限音量以下になるように前記音量調整手段によって、前記音声出力手段の音量を調整する音量制限処理を実行する、制御手段と、
を備えたことを特徴とする、プロジェクター。
【請求項２】
請求項１に記載のプロジェクターであって、
前記制御手段は、前記音量制限処理を実行後、前記入力操作手段より、所定の再生開始操作を受け付けるまで、前記記録媒体の再生を保留する、
ことを特徴とする、プロジェクター。
【請求項３】
請求項１に記載のプロジェクターであって、
前記記憶手段は、前記入力操作手段が、前記記録媒体の再生操作を受け付けた時点における前記記録媒体の再生開始位置、および前記音量調整手段の設定音量をさらに保存し、
前記制御手段は、前記音量制限処理を実行後に、前記入力操作手段が、音量変更操作を受け付けた場合に、前記音声出力手段の出力音量を前記設定音量に設定した後、前記記録媒体を前記再生開始位置より再生する、
ことを特徴とする、プロジェクター。
【請求項４】
記録媒体に記録された画像情報、および音声情報を読み出して再生する再生手段と、
光源から射出された光を前記再生手段が読み出した画像情報に応じて画像光に変調して投写する画像投写手段と、
前記再生手段が読み出した前記音声情報を出力する音声出力手段と、
前記音声出力手段が出力する音量を調整する音量調整手段と、
各操作の入力を受け付ける入力操作手段と、
前記記録媒体から読み出した所定時間分の前記音声情報を記憶する記憶手段と、
を備えたプロジェクターの制御方法であって、
前記入力操作手段が、前記記録媒体の再生操作を受け付けた場合に、前記記録媒体から所定時間分の再生音声情報を読み出す、再生音声情報取得ステップと、
前記再生音声情報取得ステップにより、読み出した前記再生音声情報に対する前記音声出力手段からの最大出力音量が所定の制限音量を越えるか否かを判断する最大出力音量判断ステップと、
前記最大出力音量判断ステップにより、前記最大出力音量が前記制限音量を越えると判断された場合に、前記最大出力音量が前記制限音量以下になるように前記音量調整手段によって、前記音声出力手段の音量を調整する音量制限ステップと、
を有することを特徴とする、プロジェクターの制御方法。
【発明の詳細な説明】
【技術分野】
【０００１】
本発明は、記録媒体に記録された情報を読み出して再生する再生手段を備えたプロジェクターと、その制御方法に関する。
【背景技術】
【０００２】
画像を投写するプロジェクターにおいて、ＤＶＤ（Ｄｉｇｉｔａｌ  Ｖｅｒｓａｔｉｌｅ  Ｄｉｓｃ）（ＤＶＤメディアとも称する）等の記録媒体に記録されている情報を再生するための画像再生部を一体的に備えたものが知られている。このようなプロジェクターを用いれば、外部の画像再生装置を接続する必要がなく、記録媒体に記録されている情報に基づく画像や音声を容易に鑑賞することができる。
しかし、このようなプロジェクターを使用する場合においては、使用者が記録媒体をプロジェクター本体に装着して再生を開始する際に、再生音量が大きく設定されていると、使用者が大音量に晒されてしまうという問題があった。
【０００３】
特許文献１には、ＤＶＤメディアの再生開始時に音量を所定の値に制限するプロジェクターが開示されている。このプロジェクターによれば、音量が所定の値に制限される。また、一定時間が経過すると制限前の音量に復帰することにより、ＤＶＤメディアの再生開始時に使用者が大音量に晒されることを回避している。
【先行技術文献】
【特許文献】
【０００４】
【特許文献１】特開２００９−１０００７７号公報
【発明の概要】
【発明が解決しようとする課題】
【０００５】
しかしながら、ＤＶＤメディアなどの記録媒体に記録された映像ソフトではソフトにより、音声の出力レベルが高いものや、低いものがある。特許文献１のように単純に音量の値で制限する方法では、音声の出力レベルが高いソフトでは、所定の値に音量を下げてもまだ音量が大きく、使用者が大音量に晒される虞がある。また、一定時間が経過すると制限前の音量に戻るため、使用者が意図しない状態で大音量に晒されてしまうという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、記録媒体に記録された画像情報、および音声情報を読み出して再生する再生手段と、光源から射出された光を前記再生手段が読み出した画像情報に応じて画像光に変調して投写する画像投写手段と、前記再生手段が読み出した前記音声情報を出力する音声出力手段と、前記音声出力手段が出力する音量を調整する音量調整手段と、各操作の入力を受け付ける入力操作手段と、前記記録媒体から読み出した所定時間分の前記音声情報を記憶する記憶手段と、を備えたプロジェクターであって、前記入力操作手段が、前記記録媒体の再生操作を受け付けた場合に、前記記録媒体から所定時間分の前記音声情報を読み出し、読み出した前記音声情報に対する前記音声出力手段からの最大出力音量が所定の制限音量を越える場合に、前記最大出力音量が前記所定の制限音量以下になるように前記音量調整手段によって、前記音声出力手段の音量を調整する音量制限処理を実行する、制御手段と、を備えたことを特徴とする。
【０００８】
本適用例によれば、記録媒体に記録された音声情報を再生する際に、読み出した所定時間分の音声情報に対する最大出力音量が所定の制限音量を越える場合には、最大出力音量が制限音量以下になるように、音量制限処理を実行する。これにより、ＤＶＤメディアなどの音声出力レベルが大きい場合は、制限音量以下に音量を下げて、使用者が大音量に晒されるのを防止できる。
【０００９】
［適用例２］上記適用例に記載のプロジェクターにおいて、前記制御手段は、前記音量制限処理を実行後、入力操作手段より、所定の再生開始操作を受け付けるまで、記録媒体の再生を保留する、ことを特徴とする。
【００１０】
本適用例によれば、音量制限処理を実行する際に、記録媒体の再生を保留し、再生開始操作を受け付けた後で再生を開始するので、使用者は音量制限処理が実行されることを予め確認でき、音量制限処理が実行されることを知らずに再生が開始されることを防止できる。
【００１１】
［適用例３］上記適用例に記載のプロジェクターにおいて、前記記憶手段は、前記入力操作手段が、前記記録媒体の再生操作を受け付けた時点における前記記録媒体の再生開始位置、および前記音量調整手段の設定音量をさらに保存し、前記制御手段は、前記音量制限処理を実行後に、前記入力操作手段が、音量アップ操作を受け付けた場合に、前記音声出力手段の出力音量を前記設定音量に設定した後、前記記録媒体を前記再生開始位置より再生する、ことを特徴とする。
【００１２】
本適用例によれば、音量制限処理が実行される時点の設定音量、記録媒体の再生開始位置を記憶し、音量アップ操作することで、設定音量を記憶した再生開始位置から再生することができる。したがって、使用者は音量制限処理が実行されていることに気付き、元の音量に戻してからもう一度聞きたい場合、音量アップ操作を行えば、音量制限処理が解除され、音量制限処理が実行される前の状態で再生が開始される。これにより、使用者が意図しない状態で大音量に晒されるのを防止できる。
【００１３】
［適用例４］本適用例に係るプロジェクターの制御方法は、記録媒体に記録された画像情報、および音声情報を読み出して再生する再生手段と、光源から射出された光を前記再生手段が読み出した画像情報に応じて画像光に変調して投写する画像投写手段と、前記再生手段が読み出した前記音声情報を出力する音声出力手段と、前記音声出力手段が出力する音量を調整する音量調整手段と、各操作の入力を受け付ける入力操作手段と、記録媒体から読み出した所定時間分の前記音声情報を記憶する記憶手段と、を備えたプロジェクターの制御方法であって、前記入力操作手段が、前記記録媒体の再生操作を受け付けた場合に、前記記録媒体から所定時間分の音声情報を読み出す、再生音声情報取得ステップと、前記再生音声情報取得ステップにより、読み出した前記音声情報に対する前記音声出力手段からの最大出力音量が所定の制限音量を越えるか否かを判断する最大出力音量判断ステップと、前記最大出力音量判断ステップにより、前記最大出力音量が前記制限音量を越えると判断された場合に、前記最大出力音量が前記制限音量以下になるように前記音量調整手段によって、前記音声出力手段の音量を調整する音量制限ステップと、を有することを特徴とする。
【００１４】
本適用例によれば、記録媒体に記録された音声情報を再生する際に、読み出した所定時間分の音声情報に対する最大出力音量が所定の制限音量を越える場合には、最大出力音量が制限音量以下になるように、音量制限処理を実行する。これにより、ＤＶＤメディアなどの音声出力レベルが大きい場合は、制限音量以下に音量を下げて、使用者が大音量に晒されるのを防止できる。
【図面の簡単な説明】
【００１５】
【図１】プロジェクターの斜視図。
【図２】プロジェクターの概略構成を示すブロック図。
【図３】プロジェクターがＤＶＤの再生操作を検出したときの動作を示すフローチャート。
【図４】プロジェクターがＤＶＤ再生中に音量アップ操作を検出したときの動作を示すフローチャート。
【図５】音量制限中画像Ｐ１の一例を示す図。
【発明を実施するための形態】
【００１６】
以下、図面を参照して本発明の一実施形態であるプロジェクターについて説明する。なお、以下の実施形態は特許請求の範囲にかかる発明を限定するものではなく、また、実施形態における特徴の組み合わせの全てが発明の解決手段に必須であるとは限らない。
【００１７】
（第１実施形態）
図１は、本実施形態のプロジェクターの斜視図である。
図１に示すように、プロジェクター１は、外装を構成する筐体２によって装置本体が覆われた構成を有している。筐体２の前面２ｆには、外部のスクリーンＳＣ（図２参照）等に画像（画像光）を投写する投写レンズ１３が露出しており、投写レンズ１３の下側には、記録媒体であるＤＶＤメディアを挿入するためのディスクスロット３が設けられている。また、筐体２の前面２ｆには、リモートコントローラー（リモコン、またはＲＣとも称する）２３から送信される操作信号を受信するための操作信号受信手段２４が配置されている。
【００１８】
筐体２には、複数の操作キー２２０（操作ボタン）を備えて構成される本体操作手段２２が設けられており、プロジェクター１に対して各種指示を行うことが可能になっている。本体操作手段２２を構成する複数の操作キー２２０のうち、ディスクスロット３からＤＶＤメディアＭ（図２参照）を排出するための操作キー２２０（イジェクトキー２２１）は、筐体２の前面２ｆ（ディスクスロット３の近傍）に配置されており、それ以外の操作キー２２０は、筐体２の上面２ｔに配置されている。
また、リモコン２３にも、本体操作手段２２と同様、プロジェクター１に対して各種指示を行うための複数の操作キー２３０が備えられており、プロジェクター１を遠隔操作することが可能になっている。
【００１９】
図２は、本実施形態のプロジェクターの回路構成を示すブロック図である。
図２に示すように、プロジェクター１は、画像投写手段１０、制御手段２０、記憶手段２１、本体操作手段２２、操作信号受信手段２４、入力端子２５、光源制御手段２６、ＤＶＤ再生手段２７、入力選択手段３３、画像信号処理手段３４、ＯＳＤ処理手段３５、電源部３６、電源端子３７、音声信号処理手段４０、スピーカー４１等で構成されており、これらは筐体２の内部に収容されている。
【００２０】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２２】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２３】
本実施形態では、光源１１として光源ランプ１１ａを用いて投写するプロジェクター１を例示したが、本発明は光源としてＬＥＤ（Light emitting diode）光源やレーザー光源などを用いて投写するプロジェクターにも適用することができる。
なお、本実施形態では、画像投写手段１０は、光源１１、光変調装置としての３つの液晶ライトバルブ１２Ｒ、１２Ｇ、１２Ｂを用いた透過型液晶方式の投写光学系を例示したが、表示原理については、反射型液晶表示方式やマイクロミラーデバイス方式（ライトスイッチ表示方式）など、他の表示方式を採用しても良い。
【００２４】
制御手段２０は、図示しないＣＰＵ（Central Processing Unit）や、各種データ等の一時記憶に用いられる図示しないＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２５】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では、ＤＶＤメディアＭから読み出した所定時間分（例えば１０秒）の再生音声情報２１ａ、ＤＶＤメディアＭを再生開始した時点の音声信号処理手段４０の設定音量２１ｂ、出力音量を制限しているときにセットされる音量制限中フラグ２１ｃ、ＤＶＤメディアＭの再生開始時の再生位置を示す再生開始位置２１ｄが記憶される。
【００２６】
本体操作手段２２、及びリモコン２３は、上述したようにそれぞれ複数の操作キー２２０、２３０を備えており、ユーザーからの入力操作（操作キー２２０，２３０の操作）を受け付ける入力操作手段に相当するものである。
複数の操作キー２２０には、上述したイジェクトキー２２１の他に、電源のオンとオフとを切り替えるための電源キーや、ＤＶＤメディアＭの再生を開始させるための再生キー、ＤＶＤメディアＭの再生を停止させるための停止キー、画像情報の入力元（入力ソース）を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等が備えられている。
ユーザーが本体操作手段２２の各種操作キー２２０を操作すると、本体操作手段２２は、ユーザーの操作内容（操作された操作キー）に応じた操作信号を制御手段２０に出力する。また、ユーザーがリモコン２３の各種操作キー２３０を操作すると、リモコン２３は、ユーザーの操作内容に応じた赤外線の操作信号を発し、操作信号受信手段２４がこれを受信して制御手段２０に伝達する。
【００２７】
入力端子２５には、パーソナルコンピューターやビデオ再生装置等、外部の画像出力装置から、各種形式の画像情報および音声情報がケーブル（図示せず）を介して入力される。入力端子２５に入力された画像情報および音声情報は、入力選択手段３３に供給される。
【００２８】
入力選択手段３３は、画像入力端子２５から入力される画像情報（外部入力画像情報）および音声情報（外部入力音声情報）と、ＤＶＤ再生手段２７から入力される画像情報（ＤＶＤ画像情報）および音声情報（ＤＶＤ音声情報）のいずれか一方を、制御手段２０の指示に基づいて選択し、選択した画像情報を画像処理手段３４に、選択した音声情報を音声信号処理手段４０に出力する。ユーザーが、本体操作手段２２或いはリモコン２３に備わる入力切替キーを操作して所望の画像情報を指定すると、制御手段２０は、指定された画像情報および音声情報が画像処理手段３４および音声信号処理手段４０に出力されるよう、入力選択手段３３に指示をする。つまり、入力選択手段３３は、外部入力画像情報に基づく画像（外部入力画像）を投写（表示）する状態と、ＤＶＤ再生手段２７によって再生されたＤＶＤ画像情報に基づく画像（ＤＶＤ画像）を投写（表示）する状態とを、ユーザーの入力操作に応じて切り替えることができる。
【００２９】
ＤＶＤ再生手段２７は、再生手段に相当するものであり、記録媒体としてのＤＶＤメディアＭに記録された画像情報、および音声情報を再生するものである。
また、ＤＶＤ再生手段２７は、挿入センサー２７１、メディア搬送手段２７２、装着センサー２７３、データ読取手段２７４、データ処理手段２７５等を含んで構成されている。
【００３０】
挿入センサー２７１は、ディスクスロット３の近傍に配置され、ＤＶＤメディアＭの一部がディスクスロット３に挿入されたことを検出して制御手段２０に通知する。
【００３１】
メディア搬送手段２７２は、ＤＶＤメディアＭを搬送するための搬送ローラー、及び搬送ローラーを回転駆動する駆動モーター（いずれも図示せず）等によって構成され、制御手段２０の指示に基づいて、ＤＶＤ再生手段２７内におけるＤＶＤメディアＭの搬送を行う。
具体的には、ユーザーがＤＶＤメディアＭの一部をディスクスロット３に挿入し、挿入センサー２７１がこの挿入を検出すると、制御手段２０は、メディア搬送手段２７２に指示をして、ＤＶＤメディアＭを内部に引き込んでターンテーブル（図示せず）上に装着させる。また、ユーザーによりイジェクトキー２２１が操作されると、制御手段２０は、メディア搬送手段２７２に指示をして、ターンテーブルからＤＶＤメディアＭを離脱させ、ＤＶＤメディアＭをディスクスロット３から排出させる。
【００３２】
装着センサー２７３は、ターンテーブルの近傍に配置され、ターンテーブルにＤＶＤメディアＭが装着されていることを検出して制御手段２０に通知する。
【００３３】
データ読取手段２７４は、制御手段２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取手段２７４によって読み取られたデータストリームは、データ処理手段２７５に順次出力される。
【００３４】
データ処理手段２７５は、デマルチプレクサーやデコーダー等で構成され、制御手段２０の指示に基づいて、データ読取手段２７４から入力されるデータストリームを画像情報と音声情報とに分離する処理や、分離した画像情報及び音声情報をデコード（復号化）する処理等を行う。
【００３５】
データ処理手段２７５は、復号化された画像情報および音声情報を入力選択手段３３に出力し、入力選択手段３３より復号化された音声情報を音声信号処理手段４０に出力する。なお、ＤＶＤ再生手段２７が、ＤＶＤメディアＭからデータストリームを読み取って、このデータストリームに基づく画像情報および音声情報を出力することを、本明細書では「画像情報を再生する」又は「ＤＶＤを再生する」と表記する。
【００３６】
制御手段２０は、本体操作手段２２又はリモコン２３の再生キーの操作を受け付けると、ＤＶＤ再生手段２７に指示をして、画像情報の再生を開始させ、本体操作手段２２又はリモコン２３の停止キーの操作を受け付けると、ＤＶＤ再生手段２７に指示をして、画像情報の再生を停止させる。
【００３７】
挿入センサー２７１、及び装着センサー２７３は、例えば、メカニカルスイッチ、光センサー、磁気センサー等の各種検出手段を用いて構成することができる。また、装着センサー２７３に関しては、上述した光ピックアップが受光する反射光の信号レベルによってＤＶＤメディアＭの装着の有無を検出する態様とすることも可能である。
【００３８】
画像信号処理手段３４は、ＤＶＤ再生手段２７から入力される画像情報（ＤＶＤ画像情報）と、入力端子２５を介して入力される画像情報とのいずれか一方を制御手段２０の指示により選択し、液晶ライトバルブ１２Ｒ、１２Ｇ、１２Ｂの各画素の階調を表す画像情報、即ち各画素に印加する駆動電圧を規定するための画像情報に変換する。さらに、画像信号処理手段３４は、制御手段２０の指示に基づいて、変換した画像情報に対して、明るさ、コントラスト、シャープネス、色合い等を調整するための画質調整処理等を行う。画像信号処理手段３４で画質調整等がなされた画像情報は、ＯＳＤ処理手段３５に出力される。
【００３９】
ＯＳＤ処理手段３５は、制御手段２０の指示に基づいて、投写画像（外部入力画像又はＤＶＤ画像）上に、メニュー画像やメッセージ画像等のＯＳＤ（オンスクリーンディスプレイ）画像を重畳して表示するための処理を行う。ＯＳＤ処理手段３５は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段３５は、必要なＯＳＤ画像情報をＯＳＤメモリーから読み出し、投写画像上の所定の位置にＯＳＤ画像が重畳されるように、画像信号処理手段３４から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段３５は、画像信号処理手段３４から入力される画像情報を、そのまま液晶駆動手段１４に出力する。
【００４０】
液晶駆動手段１４は、ＯＳＤ処理手段３５から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４１】
電源部３６には、ＡＣ１００Ｖ等の外部電力が電源端子３７を介して供給される。電源部３６は、電力を交流電源から所定の電圧の直流電源に変換して、プロジェクター１の各部に供給する。また、電源部３６は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４２】
光源制御手段２６は、制御手段２０の指示に基づいて、光源１１に対する電力の供給と停止とを制御し、光源１１の点灯、及び消灯を切り替える。
【００４３】
音声信号処理手段４０は、音量調整手段に相当するものであり、入力選択手段３３より入力された音声情報（ＤＶＤ音声情報または外部入力音声情報）を制御手段２０の指示に基づいて、増幅し、スピーカー４１に出力する。
【００４４】
スピーカー４１は、音声出力手段に相当するものであり、音声信号処理手段４０から入力される音声信号を、ユーザーに聞こえる可聴情報として出力する。
【００４５】
次に、本実施形態のプロジェクター１の動作を図３、および図４のフローチャートを用いて説明する。
【００４６】
（ＤＶＤ再生操作検出時）
図３に示すように、まずプロジェクター１が本体操作手段２２またはリモコン２３によるＤＶＤメディアＭの再生操作を検出すると（ステップＳ１０１）、ステップＳ１０２に遷移する。
【００４７】
ステップＳ１０２において制御手段２０は、ＤＶＤメディアＭの現在の再生位置を再生開始位置２１ｄに保存する。次にＤＶＤ再生手段２７により、現在の再生位置から所定時間（たとえば１０秒）分の音声情報を読み出し、再生音声情報２１ａに保存する。このステップＳ１０２が再生音声情報取得ステップに相当する。
次にステップＳ１０３に遷移する。
【００４８】
ステップＳ１０３において、制御手段２０は、ステップＳ１０２において読み出した再生音声情報２１ａの最大音量値と、音声信号処理手段４０に設定されている音量値から、読み出した再生音声情報２１ａに対する最大音量出力レベル（最大出力音量に相当）を算出する。算出した最大音量出力レベルが所定の制限音量出力レベルＬ１（所定の制限音量に相当）を超えるか否かを調べる。最大音量出力レベルが所定の制限音量出力レベルＬ１を超える場合（ステップＳ１０３：Ｙ）、ステップＳ１０４に遷移する。最大音量出力レベルが所定の制限音量出力レベルＬ１を超えない場合（ステップＳ１０３：Ｎ）、ステップＳ１０８に遷移する。ステップＳ１０３が最大出力音量判断ステップに相当する。
【００４９】
ステップＳ１０４において制御手段２０は、音量制限中フラグ２１ｃをセットし、現在音声信号処理手段４０に設定されている音量値を設定音量２１ｂに保存し、ステップＳ１０５に遷移する。
【００５０】
ステップＳ１０５において制御手段２０は、ステップ１０３において算出された最大音量出力レベルが、所定の制限音量出力レベルＬ１を超えない最大音量値となるように音声信号処理手段４０に設定し、ステップＳ１０６に遷移する。ステップＳ１０５が音量制限ステップに相当する。
【００５１】
ステップＳ１０６において制御手段２０は、音量を制限している旨の音量制限中画像Ｐ１を投写中の画像に重畳して画像投写手段１０により投写し、音量制限の状態で再生開始するのか、音量制限を解除するのかを、例えば特定の操作キー２２０、２３０によりユーザーに選択させる。このときの音量制限中画像Ｐ１の一例を図５に示す。
再生開始を選択した場合（ステップＳ１０６：Ｙ）はステップＳ１０７に遷移する。解除を選択した場合（ステップＳ１０６：Ｎ）はステップＳ１０８に遷移する。
【００５２】
ステップＳ１０７において制御手段２０は、ＤＶＤメディアＭの再生を開始する操作を検出したか否かを調べる。再生を開始する操作を検出した場合（ステップＳ１０７：Ｙ）、ステップ１０９に遷移する。再生を開始する操作を検出していない場合（ステップＳ１０７：Ｎ）、ステップＳ１０７を繰り返す。言い換えると再生開始の操作を検出する（受け付ける）まで、再生を保留する。
【００５３】
ステップＳ１０８において制御手段２０は、音量制限中フラグ２１ｃをクリアし、ステップＳ１０９に遷移する。
【００５４】
ステップＳ１０９において制御手段２０は、ＤＶＤメディアＭの再生を開始し、画像投写手段１０から画像情報を、スピーカー４１から音声情報を出力し、ステップＳ１１０に遷移する。
【００５５】
ステップＳ１１０において本動作フローを終了する。
【００５６】
（ＤＶＤ再生中音量アップ操作検出時）
図４に示すように、プロジェクター１がＤＶＤメディアＭの画像情報を再生投写中において、本体操作手段２２またはリモコン２３による音量のアップ操作を検出すると（ステップＳ２０１）、制御手段２０は音量制限中フラグ２１ｃがセットされているか否かを調べる（ステップＳ２０２）。音量制限中フラグ２１ｃがセットされている場合（ステップＳ２０２：Ｙ）、ステップＳ２０３に遷移する。音量制限中フラグ２１ｃがセットされていない場合（ステップＳ２０２：Ｎ）、ステップＳ２０７に遷移する。
【００５７】
ステップＳ２０３において制御手段２０は、音量制限中フラグ２１ｃをクリアし、ステップＳ２０４に遷移する。
【００５８】
ステップＳ２０４において制御手段２０は、画像投写手段１０で投写している音量制限中画像Ｐ１を消去し、ステップＳ２０５に遷移する。
【００５９】
ステップＳ２０５において制御手段２０は、音声信号処理手段４０の音量値を設定音量２１ｂに設定し、ステップＳ２０６に遷移する。
【００６０】
ステップＳ２０６において制御手段２０は、ＤＶＤ再生手段２７に、保存した再生開始位置２１ｄから再生を開始させ、画像投写手段１０から画像情報を、スピーカー４１から音声情報を出力し、ステップＳ２０８に遷移する。
【００６１】
ステップＳ２０７において制御手段２０は、音声信号処理手段４０の音量値を１増加させ、ステップＳ２０８に遷移する。
【００６２】
ステップＳ２０８において本動作フローを終了する。
【００６３】
以上説明したように、本実施形態のプロジェクター１によれば、ＤＶＤメディアＭに記録された音声情報を再生する際に、読み出した所定時間分の音声情報に対する最大出力音量が所定の制限音量を越える場合には、最大出力音量が制限音量以下になるように、音量制限処理を実行する。これにより、ＤＶＤメディアＭなどの音声出力レベルが大きい場合は、制限音量出力レベルＬ１以下に音量を下げて、使用者が大音量に晒されるのを防止できる。
【００６４】
また、音量制限処理を実行する際に、ＤＶＤメディアＭの再生を保留し、再生開始操作を受け付けた後で再生を開始するので、使用者は音量制限処理が実行されることを予め確認でき、音量制限処理が実行されることを知らずに再生が開始されることを防止できる。
【００６５】
また、音量制限処理が実行される時点の設定音量２１ｂ、ＤＶＤメディアＭの再生開始位置２１ｄを記憶し、音量アップ操作することで、設定音量２１ｂに戻し、記憶した再生開始位置２１ｄから再生することができる。したがって、使用者は音量制限処理が実行されていることに気付き、元の音量に戻してからもう一度聞きたい場合、音量アップ操作を行えば、音量制限処理が解除され、音量制限処理が実行される前の状態で再生が開始される。これにより、使用者が意図しない状態で大音量に晒されるのを防止できる。
【００６６】
また、上記実施形態は、以下のように変更してもよい。
（変形例１）
上述した実施形態ではＤＶＤ（Ｄｉｇｉｔａｌ  Ｖａｒｓａｔｉｌｅ  Ｄｉｓｃ）について説明したが、これに限るものでなく、例えばＢｌｕ−ｒａｙ（登録商標）ディスク、ＵＳＢメモリーなどのように、画像情報を記憶する記録媒体や、ｉＰｏｄ（登録商標）など画像を記憶する携帯端末でもよい。
装着されたものが携帯端末であるとき、携帯端末側で画像の再生を行うなら、携帯端末を、画像情報を入力する外部機器として扱う。
また、装着された携帯端末の記憶部にアクセスしてプロジェクター１により画像を再生するなら、携帯端末を記録媒体として扱う。この場合、図１のＤＶＤ再生手段２７は画像再生手段として、データ処理手段２７５は画像データ処理手段として、データ読取手段２７４は画像データ読取手段としてそれぞれ機能する。なお、メディア搬送手段２７２は不要となる。
【符号の説明】
【００６７】
１…プロジェクター、２…筐体、３…ディスクスロット、１０…画像投写手段、１１…光源、１２Ｒ，１２Ｇ，１２Ｂ…液晶ライトバルブ、１３…投写レンズ、１４…液晶駆動手段、２０…制御手段、２１…記憶手段、２１ａ…再生音声情報、２１ｂ…設定音量、２１ｃ…音量制限中フラグ、２１ｄ…再生開始位置、２２…本体操作手段、２３…リモートコントローラー（リモコン，ＲＣ）、２４…操作信号受信手段、２５…入力端子、２６…光源制御手段、２７…ＤＶＤ再生手段、２７１…挿入センサー、２７２…メディア搬送手段、２７３…装着センサー、２７４…データ読取手段、２７５…データ処理手段、３３…入力選択手段、３４…画像信号処理手段、３５…ＯＳＤ処理手段、３６…電源部、３７…電源端子、４０…音声信号処理手段、４１…スピーカー。
【図１】
2013061444.tif 000003
【図２】
2013061444.tif 000004
【図３】
2013061444.tif 000005
【図４】
2013061444.tif 000006
【図５】
2013061444.tif 000007